(57)【要約】【課題】布団乾燥機を用いて収容したふとん綿を短い時間で効率よく乾燥できる敷布団を提供する。【解決手段】上側積層体２と下側積層体３を重ね合わせ、全周に沿って互いに縫着した敷布団１において、上側積層体２は、上側布団地５と成形わた層６と布地７と樹脂綿層８とを有し、下側積層体３は、布地９と成形わた層１０と下側布団地１４とを有し、上側積層体２の樹脂綿層８と下側積層体３の布地９の間に空間１５を形成し、敷布団１の側面に上側積層体２の樹脂綿層８と下側積層体３の布地９の間に形成されるる空間１５に連通する開口１６を設ける。【選択図】  図１
2004337530.tif 000002
【特許請求の範囲】
【請求項１】
上側積層体と下側積層体を重ね合わせ、全周に沿って互いに縫着した敷布団において、上側積層体は、上側布団地と成形わた層と布地と樹脂綿層とを有し、下側積層体は、布地と成形わた層と下側布団地とを有し、上側積層体の樹脂綿層と下側積層体の布地の間に空間を形成し、敷布団の側面に上側積層体の樹脂綿層と下側積層体の布地の間に形成されるる空間に連通する開口を設けたことを特徴とする敷布団。
【請求項２】
下側積層体は、布地と成形わた層の間に硬わた層、不織布層および球状わた層の少なくとも１層を有することを特徴とする請求項１に記載の敷布団。
【請求項３】
上側積層体と下側積層体は、アドラーテープのへムにより一体化されていることを特徴とする請求項１記載の敷布団。
【請求項４】
上側積層体と下側積層体を重ね合わせ、袋状外被体に収容した敷布団において、上側積層体は、成形わた層と布地と樹脂綿層とを有し、下側積層体は、布地と成形わた層とを有し、上側積層体の樹脂綿層と下側積層体の布地の間に空間を形成し、敷布団の側面に上側積層体の樹脂綿層と下側積層体の布地の間に形成されるる空間に連通する開口を設けたことを特徴とする敷布団。
【請求項５】
上側積層体は、キルティング加工により一体品を形成することを特徴とする請求項４記載の敷布団。
【請求項６】
下側積層体は、キルティング加工により一体品を形成することを特徴とする請求項４記載の敷布団。
【請求項７】
下側積層体は、布地と成形わた層の間に硬わた層、不織布層および球状わた層の少なくとも１層を有することを特徴とする請求項４に記載の敷布団。
【発明の詳細な説明】
【０００１】
【発明の属する技術分野】
本発明は、布団乾燥機を用いて収容したふとん綿を効率よく乾燥できる敷布団に関する。
【０００２】
【従来の技術】
一般に用いられている敷布団は、織地で形成した外被体に天然繊維や合成繊維を素材として成形されたふとん綿を収容して構成され、就寝時に利用者の発する汗をふとん綿で吸収するようにしている。
【０００３】
敷布団は、ふとん綿が就寝時に吸収した水分を、使用しない時間において、自然環境下で自然放出するようにしているが、１日の内の自然放出時間は限られており、自然放出時間内では、ふとん綿が吸収した水分を十分に放出できないことが多い。
【０００４】
したがって、敷布団は、その使用日数の経過とともに、ふとん綿の水分蓄積量が増加し、ふとん綿の弾力性や吸湿性が欠けてしまうことになる。敷布団は、ふとん綿の弾力性が欠けると、全体としてふわふわした感触の弾力性に欠けることになる。敷布団の弾力性が不足したら、敷布団を直射日光の当たるベランダ等に配置し、敷布団を太陽光により温め、ふとん綿が吸収した水分を外部に放出し、敷布団の弾力性を戻すようにしている。
【０００５】
しかしながら、敷布団は、全体重量が重く、住居環境によっては日光浴するスペースがない場合があるので、市販されている布団乾燥機を用いて、敷布団を敷いた状態で乾燥し、ふとん綿が吸収した水分を外部に放出することで、敷布団の弾力性を戻すことも行なわれている。
【０００６】
しかし、敷布団を布団乾燥機により乾燥する場合、布団乾燥機の温風袋を敷布団と掛け布団との間に配置し、布団乾燥機が発生する温風を温風袋に供給し、温風袋に供給される温風により敷布団の表面を加熱するので、敷布団のあとん綿の表面側部分を加熱することはできても、厚さ方向中央部分を加熱することができない場合がり、敷布団の保温性に問題がある。
【０００７】
そこで、袋状とした外被体にふとん綿を収容した一対の布団本体をその間に通気性部材による空気通路部を形成するように連結した布団が開発されている（例えば、特許文献１）。
【０００８】
【特許文献１】
実用新案登録第２５６５０９８号公報（第３頁右欄第２７行ないし第４５行，第２図参照）
【０００９】
【発明が解決しようとする課題】
上記布団は、布団乾燥機が発生する温風を通気性部材により形成される空気通路を通して布団本体のふとん綿に導くことでふとん綿を乾燥する。したがって、ふとん綿を乾燥する温風は、抵抗性があまりない通気性部材を通してふとん綿に抵抗を受けることなく導かれ、外被体を通して外部に放出されるので、ふとん綿を乾燥する温風のふとん綿の滞留時間は短くなり、ふとん綿の乾燥時間を短かくすることに制限があるという問題がある。
【００１０】
本発明は、上記した点をに考慮してなされたもので、短い時間でふとん綿を効率よく乾燥できる敷布団を提供することを目的とする。
【００１１】
【課題を解決するための手段】
上記目的を達成するため、本発明の敷布団は、上側積層体と下側積層体を重ね合わせ、全周に沿って互いに縫着した敷布団において、上側積層体は、上側布団地と成形わた層と布地と樹脂綿層とを有し、下側積層体は、布地と成形わた層と下側布団地とを有し、上側積層体の樹脂綿層と下側積層体の布地の間に空間を形成し、敷布団の側面に上側積層体の樹脂綿層と下側積層体の布地の間に形成されるる空間に連通する開口を設けたことを特徴とする。
【００１２】
【発明の実施の形態】
以下、図面を参照して本発明の実施の形態について説明する。
図１は、本発明による敷布団の斜視図を示し、本発明による敷布団１は、上側積層体２と下側積層体３を重ね合わせ、全周に沿ってまたは断続してアドラーテープのへム４により互いに縫着することで構成される。
【００１３】
上記上側積層体２は、図２に示すように、上から順に、綿サテン地により形成される上側布団地５と、成形わた層６と、熱交換性にすぐれたナイロンタフタ地により形成される布地７と、表面の繊維を点接合するように樹脂加工した樹脂綿層８とを有する。上側積層体２は、分離して積層されているが、キルティング加工により一体品を形成することもできる。ナイロンタフタ地は使用番手７０デニール、密度がたて１００本／インチ、よこ８２本／インチであることが好ましい。
【００１４】
上記下側積層体３は、図２に示すように、上から順に、温風滞留性にすぐれたナイロンタフタ地により形成される布地９と、硬綿層１０と、不織布層１１と、球状ノップスにより形成される球状わた層１２と、成形わた層１３と綿サテン地により形成される下側布団地１４とを有する。硬綿層１０、不織布層１１、および球状わた層１２の全部または一部を省略することができる。下側積層体３は、分離して積層されているが、キルティング加工により一体品を形成することもできる。
【００１５】
上側積層体２と下側積層体３は、樹脂綿層８と布地９が接するように配置され、全周に沿ってアドラーテープのへム４により一体化するように互いに縫着された時、上側積層体２の樹脂綿層８と下側積層体３の布地９の間に空気通路となる空間１５が形成される。この空間１５は、敷布団１の側面のへム４に設けた開口１６に連通している。開口１６は、敷布団１の幅方向中間位置まで伸びる袋１７を介して空間１５に連通することが好ましい。開口１６は、図１では１つのみ示しているが、開口１６は複数であってもよい。
【００１６】
本発明による敷布団１は、ふとん綿を乾燥するために、側面のへム４に設けた開口１６を図示しないふとん乾燥機の吹き出しノズルに連結される。ふとん乾燥機の作動により発生する温風は、吹き出しノズルから開口１６を介して、上側積層体２の樹脂綿層８と下側積層体３の布地９の間の空気通路となる空間１５に送られる。
【００１７】
空間１５に送られた温風は、この空間１５で分岐し、分岐した一方の温風は、樹脂綿層８と布地７との協同作用により、樹脂綿層８を所定時間加熱した後、樹脂綿層８と布地７を通して上側積層体２の成形わた層１２を加熱し、その後、上側布団地５を通して外部に放出される。したがって、上側積層体２は、初期温風を樹脂綿層８が直接受けるので、従来の布団のように温風がふとん綿と十分に熱交換されないまま、側布団地を通して外部に放出されることが少ないので、樹脂綿層８および成形わた層１２の乾燥を、従来の布団に比べて短時間に行うことができる。
【００１８】
一方、空間１５で分岐した他方の温風は、下側積層体３の成形わた層１３を通り抜ける際に、成形わた層１３を加熱するが、上層に配置した布地９と樹脂綿層８の協同作用により、成形わた層１３を通り抜け、床との接触面で反転し、成形わた層１３との熱交換が行われないまま上側積層体２に逃げることはない。
【００１９】
図４は、本発明の他の実施の形態を示し、図４に示す実施の形態においては、敷布団１ａは、綿サテン地により形成される袋状外被体２０に上側積層体２と下側積層体３が積層した状態に収容されている。敷布団１ａの側面２１に設けた開口２２は、上側積層体２の樹脂綿層８と下側積層体３の布地９の間に形成される空気通路となる空間１５に連通している。開口２２は、敷布団１の幅方向中間位置まで伸びる袋２３を介して空間１５に連通することが好ましい。開口２２は通常のスライドファスナー２４により開閉自在とされている。
【００２０】
【発明の効果】
以上説明したように、本発明によれば、上側積層体の樹脂綿層と下側積層体の布地の間に空間を形成し、この空間を敷布団の側面に設けた開口に連通することで、樹脂綿層を所定時間加熱した後、樹脂綿層と布地を通して上側積層体の成形わた層を加熱するので、  布団乾燥機を用いて収容したふとん綿を短い時間で効率よく乾燥できる。
【図面の簡単な説明】
【図１】本発明による敷布団の斜視図。
【図２】本発明による敷布団の上側積層体の断面図。
【図３】本発明による敷布団の下側積層体の断面図。
【図４】本発明による敷布団の他の実施の形態の斜視図。
【符号の説明】
１  敷布団
２  上側積層体
３  下側積層体
４  ヘム
６  成形わた層
７  布地
８  樹脂綿層
９  布地
１３  成形わた層
１５  空間
１６  開口
【図１】
2004337530.tif 000003
【図２】
2004337530.tif 000004
【図３】
2004337530.tif 000005
【図４】
2004337530.tif 000006